(57)【要約】      （修正有）【課題】天井の高さ、空間の長さ、物体の長さを、目盛を読まずに、早く正確に測定転写が出来る計測帯を提供する。【解決手段】ストッパ３を掛けた時に巻尺２がずれない市販のコンベックス１の底部に、測定方向の逆方向に伸び縮可能なスケール９が収納されたケース６を設け、ストッパ３と、これらの組み合わせで、ストッパ３を掛けただけで、長さを巻尺２の上に留め、転写ほか数種の作業を可能にした。【選択図】図１
2017015672.tif 000002
【特許請求の範囲】
【請求項１】
市販のストッパの付いたコンベックスの底の部分に、測定方向の逆方向に伸び縮可能なスケールが収納されたケースを設けた計測帯である。これは、コンベックスに内装でも外装でも良い。
【請求項２】
前記のケースの後の部分にロックネジを設け、前記のスケールを固定出来るようにし、ストッパと、これらの組み合わせで数種の作業が出来る計測帯である。
【請求項３】
前記のケースの前後を直角鋭利にして、空間、物体の寸法を測り易くし、筆記用具でなぞり易いような形態を有した計測帯である。
【発明の詳細な説明】
【技術分野】
【０００１】  本発明は、市販のコンベックスの底部に、内部に移動可能なスケールを持ったケースを設けた計測帯に関するものである。
【背景技術】
【０００２】  従来ほとんどのコンベックスは寸法を測るだけのものである。
巻尺の部分に、内巾寸法専用の目盛が付いているものがあった。（特許文献１参照）
また，物体と物体との空間を固定記録は出来るが、数値を出すことが出来ないものがあった（特許文献２参照）。
筆記具を付設し、数値を出す時は、巻尺の目盛に７〜８センチの中途な数字を加算しなければならないものがあった。（特許文献３参照）。
【先行技術文献】
【特許文献】
【０００３】
【特許文献１】  特許公開  ２００６−０３０１５２
【特許文献２】  登録実用新案  第３１３４６３０号
【特許文献３】  登録実用新案  出願  平４−６１００１
【発明の概要】
【発明が解決しようとする課題】
【０００４】  そのために次のような問題があった。
（イ）市販のコンベックスの働きの殆どは、数値を測るためのみである
（ロ）数値を読み取る時に、読み違い、思い違い、忘れる、を起こすし、書き間違い、目盛も読み難いがある。
（ハ）間違って材料の無駄も出る。
（ニ）内巾寸法専用の目盛は使う時迷う。
（ホ）数値を出すことが出来ないのは使いみちが少ない。
（ヘ）筆記具を付設は、じゃまになる。
本発明は、これらの問題点を解決するためになされたものである。
【課題を解決するための手段】
【０００５】（イ）市販のストッパの付いたコンベックスの底の部分に、測定方向の逆方向に伸び縮可能なスケールが収納されたケースを設けた。
（ロ）前記のケースの後ろ部分に、スケールを任意の位置で固定する為のロックネジを設け、ストッパと、これらの組み合わせで、多種の作業が出来るようにした。
（ハ）前記のケースの前後を直角鋭利にし、測定時に見やすく、作業をしやすくした。
【発明の効果】
【０００６】  長さを転写するのに、目盛を読まずに、ストッパを押して巻尺を固定するだけで、巻尺の上に素早く長さを留め、転写が出来るので、間違いが少なくなり、スピードが短かくなり、疲れが軽減される。目盛が読み難い、数字を覚える事が苦手、数字を忘れる、数字の勘違い、これらが解決する。
【図面の簡単な説明】
【０００７】
【図１】本発明および市販コンベックスの内部構造説明図（右側面視）である。
【図２】本発明および市販コンベックスの上面視である。
【図３】本発明のケースとスケールと市販のコンベックスとの斜視図である。
【図４】本発明の内部構造説明図（正面視）である。
【図５】本発明の実施例を示した説明図である。
【発明を実施するための形態】
【０００８】  以下、本発明の実施の形態について説明する。
（イ）図１の市販のコンベックス（１）の下部に、表面に目盛を持ち、測定方向の逆方向に伸び縮可能な底部スケール（９）を収納した底部ケース（６）を設けた。
（ロ）図１の底部ケースの前（５）底部ケースの後（８）を直角鋭利にし、空間、物体の寸法を測り易くした。
（ハ）前記のケースの後ろ（８）部分に底部スケールロックネジ（７）を設け、前記のスケールを任意の位でロック出来るようにした。
本発明は以上のような構成である。
本発明を使用するときは、下記に示す。
（イ）物体の外側を転写する時、目盛を読まずに、図２の市販コンベックスのフック（４）と底部ケースの前部（５）に物体を挟み、市販コンベックスの巻尺（２）を、ストッパ（３）で固定し、巻尺（２）上に長さを留め、底部ケースの前部（５）で筆記用具を使ってなぞり、転写出来る。
（ロ）空間を測定の時は、図２の市販コンベックスのフック（４）を片側に突き当て、反対側に底部スケール後部（８）を突き当て、コンベックスの巻尺（２）部分をストッパ（３）で固定し、長さを巻尺（２）上に留め、底部ケースの後（８）で筆記用具を使ってなぞり、転写出来る。
（ハ）天井までの高さを測るときは、図２の底部ケース前部（５）から底部スケール後部（１１）まで１０センチになるように３角マーク（１２）を設置してある。底部スケールの後部（８）の位置に３角マークを合わせ、底部スケールロックネジ（７）で底部スケール（９）を固定して、市販コンベックスのフック（４）を天井に突き当て、底部スケール後部（１１）を床に突き当てて、ストッパ（３）で巻尺（２）を固定する。底部ケースの前（５）で巻尺（２）の目盛を読んだ数値に１０センチを足すと、天井までの高さがでる。底部スケール後部（１１）で、筆記用具を使ってなぞると、転写出来る。空間の測定にも利用できる。
（ニ））図５のクリアランス（１３Ａ）と、上の板の厚さ（１３Ｂ）、下の板の厚さ（１３Ｄ）を合計した数値を、図２の底部ケースの後部（８）の位置に、底部スケール測定用の目盛（１０）を合わせ、底部スケールロックネジ（７）で固定し、巻尺（２）の上に長さを留める。次に壁（１４）の床に、底部スケールの後（１１）を押しあて、コンベックスのフック（４）を天井に突きあて、ストッパ（３）で固定し、巻尺（２）の上に長さを留める。底部ケースの後部（８）で転写すると、空間から（１３Ａ）、（１３Ｂ）、（１３Ｄ）の合計数値を引いた、縦の板右（１７）の高さが出る。
（ホ）図２の底部ケース前部（５），底部ケース後部（８）、底部スケール後部（１１）の部分で、材料に直線で記録できる。手書きだと線が斜めになる。
（ヘ）精確な長さが必要な時は、図１の市販のコンベックス（１）の底部ケース後部（８）を測定位置の近くで、巻尺（３）をストッパで固定し、底部スケール後部（１１）を目的位置に合わせ、底部スケールロックネジ（７）で固定し転写する。
（ト）その他にも数種の作業が出来る。
【符号の説明】
【０００９】１      コンベックス本体
２      巻尺
３      ストッパ
４      コンベックスのフック
５      底部ケースの前部
６      底部ケース
７      底部スケールロックネジ
８      底部ケースの後部
９      底部スケール
１０    底部スケール測定用の目盛
１１    底部スケールの後
１２    ３角マーク
１３Ａ  クリアランス
１３Ｂ  上の板の厚さ
１３Ｃ  縦板の高さ
１３Ｄ  下の板の厚さ
１４    壁
１５    上の板
１６    下の板
１７    縦の板右
【図１】
2017015672.tif 000003
【図２】
2017015672.tif 000004
【図３】
2017015672.tif 000005
【図４】
2017015672.tif 000006
【図５】
2017015672.tif 000007